(57)【要約】【課題】パチンコ機島１０における内部空間で発生する騒音を効果的に低減でき、かつ既存のパチンコ機島にも低コストで適用可能なパチンコ機島の騒音低減構造を提供すること。【解決手段】パチンコ機島１０の頂部空間Ｓを開放可能に覆蓋する天板１２の裏面に沿って第１吸音材２６を配置する。パチンコ機島１０における一方のパチンコ機１７の列側のつま木１９と他方の列側のつま木１９に掛止片２７Ａを固定し、両掛止片２７Ａ間に第１吸音材２６を掛け渡す。パチンコ機島１０の頂部の前面を構成する開閉可能な幕板１３の裏面に沿って第２吸音材３０を吊り下げる。【選択図】図２
2011098129.tif 000002
【特許請求の範囲】
【請求項１】
複数台のパチンコ機を横に列設して構成したパチンコ機島における騒音低減構造であって、パチンコ機島の頂部空間を開放可能に覆蓋する天板の裏面に沿って第１吸音材を配置したことを特徴とするパチンコ機島の騒音低減構造。
【請求項２】
一方の列のパチンコ機の背面と他方の列のパチンコ機の背面が所定の間隙を保って向かい合うように複数台のパチンコ機を横二列に列設して構成したパチンコ機島における騒音低減構造であって、パチンコ機島の頂部空間を開放可能に覆蓋する天板の裏面に沿って第１吸音材を配置したことを特徴とするパチンコ機島の騒音低減構造。
【請求項３】
前記パチンコ機島における前記一方の列側の内壁面と他方の列側の内壁面間に掛止片を固定し、両掛止片間に前記第１吸音材を掛け渡したことを特徴とする請求項２に記載のパチンコ機島の騒音低減構造。
【請求項４】
前記パチンコ機島の頂部の前面を構成する開閉可能な幕板の裏面に沿って第２吸音材を吊り下げたことを特徴とする請求項１又は２に記載のパチンコ機島の騒音低減構造。
【発明の詳細な説明】
【技術分野】
【０００１】
本発明はパチンコ機を複数台横に列設して構成したパチンコ機島の騒音低減構造に関する。
【背景技術】
【０００２】
パチンコ機島の内部にはパチンコ球補給樋やパチンコ球回収樋が設置され、パイプで各パチンコ機と接続されている。
【０００３】
パチンコ遊技の進行に伴い、パチンコ球補給樋から各パチンコ機の貯留タンクにパチンコ球がパイプ通路を通って落下し、補給される。また、各パチンコ機から排出されたパチンコ球はパチンコ球回収樋にパイプ通路を通って落下し、回収樋を転がりながら通過してパチンコ球洗浄機へと送られる。
【０００４】
このようにパチンコ機島の内部ではパチンコ球が貯留タンクやパチンコ球回収樋に落下したり、パチンコ球補給樋やパチンコ球回収樋を転がって通過しているので、常時騒音が発生している。
【０００５】
パチンコ機島の内部で発生するこの種の騒音を低減するため、特開平１０−８０５７０号公報に記載の発明では、パチンコ機島の天井にドーム型の吸音材を載置している。
特開平１１−９００２２号公報に記載の発明では、パチンコ機島の頂部前面を構成する幕板の裏面に収納空間を形成し、この空間に吸音材を詰め込んでいる。
また。特開２００９−０００１３３号公報に記載の発明ではパチンコ機島に列設した各パチンコ機の背面に沿って吸音材を吊り下げている。
【先行技術文献】
【特許文献】
【０００６】
【特許文献１】特開平１０−８０５７０号公報
【特許文献２】特開平１１−９００２２号公報
【特許文献３】特開２００９−０００１３３号公報
【発明の概要】
【発明が解決しようとする課題】
【０００７】
上記した従来のパチンコ機島の騒音低減構造のように、ドーム型の吸音材をパチンコ機島の頂部に載置する場合、パチンコ機島の頂部上方に吸音材が設置できるだけの空間を要するため、既存のパチンコ機島に適用するには、大幅にパチンコ機島の頂部上方空間を改造しなければならず、設置コストが高くなる。
裏面の収納空間に吸音材を詰め込んだ幕板を既存のパチンコ機島に適用する場合、各パチンコ機の幕板を交換しなければならず、交換作業が面倒でコストが高くなる。
また、各パチンコ機の背面に吸音材を吊り下げただけでは、騒音低減効果が不十分である。
本発明はかかる問題点に鑑み、パチンコ機島における内部空間で発生する騒音を効果的に低減でき、かつ既存のパチンコ機島にも低コストで適用可能なパチンコ機島の騒音低減構造を提供することを目的とする。
【課題を解決するための手段】
【０００８】
請求項１に記載の発明は、複数台のパチンコ機を横に列設して構成したパチンコ機島における騒音低減構造であって、パチンコ機島の頂部空間を開放可能に覆蓋する天板の裏面に沿って第１吸音材を配置したことを特徴とする。
【０００９】
請求項２に記載の発明は、一方の列のパチンコ機の背面と他方の列のパチンコ機の背面が所定の間隙を保って向かい合うように複数台のパチンコ機を横二列に列設して構成したパチンコ機島における騒音低減構造であって、パチンコ機島の頂部空間を開放可能に覆蓋する天板の裏面に沿って第１吸音材を配置したことを特徴とする。
【００１０】
請求項３に記載の発明は、請求項２に記載のパチンコ機島の騒音低減構造において、前記パチンコ機島における前記一方の列側の内壁面と他方の列側の内壁面間に掛止片を固定し、両掛止片間に前記第１吸音材を掛け渡したことを特徴とする。
【００１１】
請求項４に記載の発明は、請求項１又は２に記載のパチンコ機島の騒音低減構造において、前記パチンコ機島の頂部の前面を構成する開閉可能な幕板の裏面に沿って第２吸音材を吊り下げたことを特徴とする。
【発明の効果】
【００１２】
請求項１及び請求項２に記載の発明によれば、パチンコ機島の頂部空間に配置した第１吸音材でパチンコ機島内部で発生する騒音を効果的に低減できる。
しかして、第１吸音材は天板の裏面に沿って配置するので、天板から頂部空間を開放して吸音材の取付作業を行うことができる。また、パチンコ機島の頂部の上方に第１吸音材を配置するのではなくて、頂部空間内に配置するので、既存のパチンコ機島の改造が容易となる。
【００１３】
請求項３に記載の発明によれば、掛止片を内壁面に固定し、その間に第１吸音材を掛け渡すので、天板を開いて掛止片を取り付けるだけの簡単な改造で既存のパチンコ機島に適用できる。
【００１４】
請求項４に記載の発明によれば、幕板裏面に沿って吊り下げた第２吸音材によって、より一層パチンコ機島内部で発生する騒音を低減できる。また、第２吸音材はパチンコ機島の内面やパチンコ機本体の背面に貼り付けるのではなくて、開閉可能な幕板に沿って吊り下げるので、幕板を開いて簡単に取り付けることができ、既存のパチンコ機島に低コストで適用できる。
【図面の簡単な説明】
【００１５】
【図１】本発明の一実施例に係る騒音低減構造を備えたパチンコ機島を示す正面図である。
【図２】図１の２−２線から切断した断面図である。
【図３】本発明の一実施例に係る騒音低減構造を備えたパチンコ機島に配置された吸音材を示す斜視図である。
【実施例】
【００１６】
以下に本発明の実施例を図面に基づき説明する。図１及び図２に本発明の一実施例に係る騒音低減構造を備えたパチンコ機島１０を示す。当該パチンコ機島１０は台枠１１、天板１２、パチンコ機島の頂部前面を形成する幕板１３、ランプ枠１４、支柱１５を備え、台枠１１の台座１６に複数台のパチンコ機１７が横並びに載置されている。
【００１７】
支柱１５は台座１６にパチンコ機１７の２台分に相当する間隔で立設され、支柱１５と支柱１５の間に２台のパチンコ機１７がはめ込まれている。ランプ枠１４には各パチンコ機１７に対応する呼び出しランプ１８が列設されている。
【００１８】
図２に示すように、パチンコ機島１０にはパチンコ機１７が左右２列に配置されている。一方の列のパチンコ機１７と他方の列のパチンコ機１７は互いに背面が向かい合うように配置されている。
【００１９】
台座１１に立設した各支柱１５の上端部はつま木１９のほぞ穴に嵌合され、同じパチンコ機の列に並ぶ各支柱１７がつま木１９で連結されている。そして、左右のつま木１９に天板１２が掛け渡して載置されている。この天板１２は背面を向き合わせた一対のパチンコ機１７ごとに配置されている。
パチンコ機島１０の内部にはこれら天板１２、幕板１３及びランプ枠１４で頂部空間Ｓが区画形成されている。天板１２を取り除くことによりこの頂部空間が開放され空間内部にアクセスできる。また、幕板１３は頂部空間Ｓにアクセスできるようにヒンジ２０で矢印方向に開閉可能につま木１９に取り付けられている。
【００２０】
パチンコ機島１０の内部空間にあってパチンコ機１７の上端近辺にはパチンコ球補給樋２１が設置され、パチンコ機１７の列に沿って延びている。また、パチンコ機島１０の内部の下部空間を構成する台枠１１の内部にはパチンコ球回収樋２２が取り付けられ、パチンコ機１７の列に沿って延びている。
【００２１】
各パチンコ機１７のパチンコ球用貯留タンク２３がパイプ通路２４を介してパチンコ球補給樋２１に接続されている。また、各パチンコ機１７がパイプ通路２５を介してパチンコ球回収樋２２に接続されている。
【００２２】
パチンコ機島１０の頂部空間Ｓには天板１２の裏面に沿って第１吸音材２６が配置されている。この第１吸音材２６は左右のつま木１９の内面にビスで固定した断面Ｌ字形の掛止片２７Ａ間に掛け渡されている。第１吸音材２６はグラスウール製のマットの表面をガーゼシート又はアルミガラスシートで被覆して構成されている。第１吸音材は図１に示すように、各天板に対応して設けられている。
【００２３】
パチンコ機島１０の頂部空間Ｓには２列の第２吸音材３０が桟木２８から幕板１３の裏面に沿って吊り下げられている。この桟木２８は支柱１５に釘等で固定され、パチンコ機１７の列に沿って延びている。
【００２４】
各第２吸音材３０の構造の詳細を図３に示す。第２吸音材３０は吸音材本体３１と、吸音材本体３１の上端部に取り付けられたアルミ製フレーム３２と、フレーム３２に取り付けられたフック金具３３を備えている。吸音材本体３１は第１吸音材２５と同じ材質のものが用いられ、グラスウール製のマット３４の表面をガーゼシート又はアルミガラスシート３５で被覆して構成されている。また、吸音材本体３１の縦寸法と横寸法（幅寸法）は幕板１５の縦寸法と横寸法に略同寸となるように裁断されている。
【００２５】
フレーム３２は吸音材本体３１の上端部に幅方向に沿って取り付けられている。このフレーム３２は吸音材本体３１の上端部が嵌合される溝部３６とフック金具３３を取り付けるためのスリット３７が形成されている。このスリット３７は吸音材本体３１の幅方向に延びている。
【００２６】
吸音材本体３１はその上端部をフレーム３２の溝３６に嵌合し、ボルト３８をフレーム３２の側面から貫通して取り付けられている。フック金具３３はスリット３７に挿通した下端部にナット３９を締め付けてスリット３７から抜け止めされている。フック金具３３はこのスリット３７に沿って移動させることができる。第２吸音材３０はフック金具３３を桟木２８に掛止することにより、図１に鎖線で示される通り、幕板１３の背面に向かい合うように桟木２８から吊り下げられている。
【００２７】
一方の列のパチンコ機１７の上端部と、このパチンコ機１７に向かい合う他方の列のパチンコ機１７の上端部間には複数本の桟木２９が架設されている。この桟木２９の両端は支柱１５にビス等で固定した掛止片２７Ｂの間に架設されている。そして、桟木２９から左右のパチンコ機１７の間の間隙に２枚の第３吸音材４０が対面するように吊り下げられている。
【００２８】
第３吸音材４０の構成はサイズを除いて第２吸音材３０と略同一であり、サイズは各パチンコ機１７の縦横寸法と略同寸に設定され、図１に２点鎖線で示すように各パチンコ機１７の背面に向かい合うように桟木２９から吊り下げられている。
【００２９】
本実施例に係るパチンコ機島１０の騒音低減構造は以上の通りであって、パチンコ機島１０の頂部空間Ｓに配置した第１吸音材２６と第２吸音材３０及び第３吸音材４０でパチンコ機島内部で発生する騒音を効果的に低減できる。
【００３０】
第１吸音材２６は天板１２の裏面に沿って配置するので、天板１２を取り外し、頂部空間Ｓを開放して、吸音材２６の取付作業を行うことができ、既存のパチンコ機島の改造が容易となる。
【００３１】
掛止片２７Ａをつま木１９に固定し、掛止片２７Ａの間に第１吸音材２６を掛け渡すので、天板１２を開いて掛止片２７Ａを取り付けるだけの簡単な改造で既存のパチンコ機島に適用できる。
【００３２】
第２吸音材３０はパチンコ機島１０の内面やパチンコ機本体の背面に貼り付けるのではなくて、開閉可能な幕板１３に沿って吊り下げるので、幕板１３を開いて簡単に取り付けることができ、既存のパチンコ機島に低コストで適用できる。
【００３３】
また、第２吸音材３０はパチンコ機島１０の天井枠１２や幕板１５の内面に貼り付けるのではなくて、フック金具３３を使って桟木２８から吊り下げるので、既存のパチンコ機島１０にも桟木２８を固定するたけの簡単な作業で第２吸音材３０を設置することが可能となる。
【００３４】
とりわけ、第１吸音材２６と第２吸音材３０は取り外し可能な天板１２や開閉可能な幕板１３の裏面に配置するので、既存のパチンコ機島に吸音材２６，３０や掛止片２７Ａ、桟木２８を取り付ける作業が幕板１３を開いたり、天板１２を取り外して頂部空間Ｓにアクセスすることで容易に実施でき、低コストで既存のパチンコ機島を騒音低減構造に改修することができる。
【００３５】
更にまた、本実施例では２列の第３吸音材４０をパチンコ機１７の背面に向かい合うように近接配置するので、パチンコ機本体１７から発生する騒音を効果的に低減できる。
【００３６】
なお、本実施例ではパチンコ機１７を二列に配置したパチンコ機島１０に適用したが、パチンコ機の列が一列のパチンコ機島にも適用できる。
【００３７】
また、第２、第３吸音材３０，４０を吊り下げる桟木２８，２９を取り付けたが、パチンコ機島１０の内部空間に設けられている適宜部材を利用して吊り下げるように構成することも可能である。
【００３８】
さらにまた、掛止片２７Ａをつま木に固定したが、パチンコ機島１０における一方のパチンコ機列側の内壁面及び他方の列側の内壁面を構成する、つま木以外の部材に係止片２７Ａを固定することも可能である。
【符号の説明】
【００３９】
１０…パチンコ機島
１１…台枠
１２…天板
１３…幕板
１４…ランプ枠
１５…支柱
１６…台座
１７…パチンコ機
１８…呼び出しランプ
１９…つま木
２０…ヒンジ
２１…パチンコ球補給樋
２２…パチンコ球回収樋
２６…第１吸音材
２７Ａ，２７Ｂ…掛止片
２８，２９…桟木
３０…第２吸音材
４０…第３吸音材
【図１】
2011098129.tif 000003
【図２】
2011098129.tif 000004
【図３】
2011098129.tif 000005